【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
移動体に搭載される電子機器であって、
送信波を送信する送信部と、
前記送信波のうち対象物によって反射された反射波を受信する受信部と、
前記移動体の移動速度が所定以下であることが検出されると、前記送信波の放射方向を切り替える制御部と、
を備える、電子機器。
【請求項２】
移動体に搭載される電子機器であって、
送信波を送信する送信部と、
前記送信波のうち対象物によって反射された反射波を受信する受信部と、
前記移動体の後方への移動が検出されると、前記送信波の放射方向を切り替える制御部と、
を備える、電子機器。
【請求項３】
移動体に搭載される電子機器であって、
送信波を送信する送信部と、
前記送信波のうち対象物によって反射された反射波を受信する受信部と、
前記移動体の停止状態からの移動状態が検出されると、前記送信波の放射方向を切り替える制御部と、
を備える、電子機器。
【請求項４】
移動体に搭載される電子機器であって、
送信波を送信する送信部と、
前記送信波のうち対象物によって反射された反射波を受信する受信部と、
前記移動体の移動状態からの停止状態が検出されると、前記送信波の放射方向を切り替える制御部と、
を備える、電子機器。
【請求項５】
移動体に搭載される電子機器であって、
送信波を送信する送信部と、
前記送信波のうち対象物によって反射された反射波を受信する受信部と、
前記移動体の制動状態が検出されると、前記送信波の放射方向を切り替える制御部と、
を備える、電子機器。
【請求項６】
移動体に搭載される電子機器であって、
送信波を送信する送信部と、
前記送信波のうち対象物によって反射された反射波を受信する受信部と、
前記移動体のクリープが検出されると、前記送信波の放射方向を切り替える制御部と、
を備える、電子機器。
【請求項７】
移動体に搭載される電子機器であって、
送信波を送信する送信部と、
前記送信波のうち対象物によって反射された反射波を受信する受信部と、
前記移動体の所定の方位角以上の方向転換が検出されると、前記送信波の放射方向を切り替える制御部と、
を備える、電子機器。
【請求項８】
移動体に搭載される電子機器の制御方法であって、
送信波を送信する送信ステップと、
前記送信波のうち対象物によって反射された反射波を受信する受信ステップと、
前記移動体の移動速度が所定以下であることが検出されると、前記送信波の放射方向を切り替える制御ステップと、
を含む、電子機器の制御方法。
【請求項９】
移動体に搭載される電子機器の制御方法であって、
送信波を送信する送信ステップと、
前記送信波のうち対象物によって反射された反射波を受信する受信ステップと、
前記移動体の後方への移動が検出されると、前記送信波の放射方向を切り替える制御ステップと、
を含む、電子機器の制御方法。
【請求項１０】
移動体に搭載される電子機器の制御方法であって、
送信波を送信する送信ステップと、
前記送信波のうち対象物によって反射された反射波を受信する受信ステップと、
前記移動体の停止状態からの移動状態が検出されると、前記送信波の放射方向を切り替える制御ステップと、
を含む、電子機器の制御方法。
【請求項１１】
移動体に搭載される電子機器の制御方法であって、
送信波を送信する送信ステップと、
前記送信波のうち対象物によって反射された反射波を受信する受信ステップと、
前記移動体の移動状態からの停止状態が検出されると、前記送信波の放射方向を切り替える制御ステップと、
を含む、電子機器の制御方法。
【請求項１２】
移動体に搭載される電子機器の制御方法であって、
送信波を送信する送信ステップと、
前記送信波のうち対象物によって反射された反射波を受信する受信ステップと、
前記移動体の制動状態が検出されると、前記送信波の放射方向を切り替える制御ステップと、
を含む、電子機器の制御方法。
【請求項１３】
移動体に搭載される電子機器の制御方法であって、
送信波を送信する送信ステップと、
前記送信波のうち対象物によって反射された反射波を受信する受信ステップと、
前記移動体のクリープが検出されると、前記送信波の放射方向を切り替える制御ステップと、
を含む、電子機器の制御方法。
【請求項１４】
移動体に搭載される電子機器の制御方法であって、
送信波を送信する送信ステップと、
前記送信波のうち対象物によって反射された反射波を受信する受信ステップと、
前記移動体の所定の方位角以上の方向転換が検出されると、前記送信波の放射方向を切り替える制御ステップと、
を含む、電子機器の制御方法。
【請求項１５】
移動体に搭載される電子機器に、
送信波を送信する送信ステップと、
前記送信波のうち対象物によって反射された反射波を受信する受信ステップと、
前記移動体の移動速度が所定以下であることが検出されると、前記送信波の放射方向を切り替える制御ステップと、
を実行させる、電子機器の制御プログラム。
【請求項１６】
移動体に搭載される電子機器に、
送信波を送信する送信ステップと、
前記送信波のうち対象物によって反射された反射波を受信する受信ステップと、
前記移動体の後方への移動が検出されると、前記送信波の放射方向を切り替える制御ステップと、
を実行させる、電子機器の制御プログラム。
【請求項１７】
移動体に搭載される電子機器に、
送信波を送信する送信ステップと、
前記送信波のうち対象物によって反射された反射波を受信する受信ステップと、
前記移動体の停止状態からの移動状態が検出されると、前記送信波の放射方向を切り替える制御ステップと、
を実行させる、電子機器の制御プログラム。
【請求項１８】
移動体に搭載される電子機器に、
送信波を送信する送信ステップと、
前記送信波のうち対象物によって反射された反射波を受信する受信ステップと、
前記移動体の移動状態からの停止状態が検出されると、前記送信波の放射方向を切り替える制御ステップと、
を実行させる、電子機器の制御プログラム。
【請求項１９】
移動体に搭載される電子機器に、
送信波を送信する送信ステップと、
前記送信波のうち対象物によって反射された反射波を受信する受信ステップと、
前記移動体の制動状態が検出されると、前記送信波の放射方向を切り替える制御ステップと、
を実行させる、電子機器の制御プログラム。
【請求項２０】
移動体に搭載される電子機器に、
送信波を送信する送信ステップと、
前記送信波のうち対象物によって反射された反射波を受信する受信ステップと、
前記移動体のクリープが検出されると、前記送信波の放射方向を切り替える制御ステップと、
を実行させる、電子機器の制御プログラム。
【請求項２１】
移動体に搭載される電子機器に、
送信波を送信する送信ステップと、
前記送信波のうち対象物によって反射された反射波を受信する受信ステップと、
前記移動体の所定の方位角以上の方向転換が検出されると、前記送信波の放射方向を切り替える制御ステップと、
を実行させる、電子機器の制御プログラム。
【手続補正２】
【補正対象書類名】明細書
【補正対象項目名】０００６
【補正方法】変更
【補正の内容】
【０００６】
一実施形態に係る電子機器は、移動体に搭載される電子機器であって、送信部と、受信部と、制御部とを備える。
前記送信部は、送信波を送信する。
前記受信部は、前記送信波のうち対象物によって反射された反射波を受信する。
前記制御部は、前記移動体の移動速度が所定以下であることが検出されると、前記送信波の放射方向を切り替える。
また、一実施形態に係る電子機器において、前記制御部は、前記移動体の後方への移動が検出されると、前記送信波の放射方向を切り替える。
また、一実施形態に係る電子機器において、前記制御部は、前記移動体の停止状態からの移動状態が検出されると、前記送信波の放射方向を切り替える。
また、一実施形態に係る電子機器において、前記制御部は、前記移動体の移動状態からの停止状態が検出されると、前記送信波の放射方向を切り替える。
また、一実施形態に係る電子機器において、前記制御部は、前記移動体の制動状態が検出されると、前記送信波の放射方向を切り替える。
また、一実施形態に係る電子機器において、前記制御部は、前記移動体のクリープが検出されると、前記送信波の放射方向を切り替える。
また、一実施形態に係る電子機器において、前記制御部は、前記移動体の所定の方位角以上の方向転換が検出されると、前記送信波の放射方向を切り替える。
【手続補正３】
【補正対象書類名】明細書
【補正対象項目名】０００７
【補正方法】変更
【補正の内容】
【０００７】
一実施形態に係る電子機器の制御方法は、移動体に搭載される電子機器の制御方法であって、送信ステップと、受信ステップと、制御ステップとを含む。
前記送信ステップは、送信波を送信する。
前記受信ステップは、前記送信波のうち対象物によって反射された反射波を受信する。
前記制御ステップは、前記移動体の移動速度が所定以下であることが検出されると、前記送信波の放射方向を切り替える。
また、一実施形態に係る電子機器の制御方法において、前記制御ステップは、前記移動体の後方への移動が検出されると、前記送信波の放射方向を切り替える。
また、一実施形態に係る電子機器の制御方法において、前記制御ステップは、前記移動体の停止状態からの移動状態が検出されると、前記送信波の放射方向を切り替える。
また、一実施形態に係る電子機器の制御方法において、前記制御ステップは、前記移動体の移動状態からの停止状態が検出されると、前記送信波の放射方向を切り替える。
また、一実施形態に係る電子機器の制御方法において、前記制御ステップは、前記移動体の制動状態が検出されると、前記送信波の放射方向を切り替える。
また、一実施形態に係る電子機器の制御方法において、前記制御ステップは、前記移動体のクリープが検出されると、前記送信波の放射方向を切り替える。
また、一実施形態に係る電子機器の制御方法において、前記制御ステップは、前記移動体の所定の方位角以上の方向転換が検出されると、前記送信波の放射方向を切り替える。
【手続補正４】
【補正対象書類名】明細書
【補正対象項目名】０００８
【補正方法】変更
【補正の内容】
【０００８】
一実施形態に係る電子機器の制御プログラムは、移動体に搭載される電子機器に、送信ステップと、受信ステップと、制御ステップとを実行させる。
前記送信ステップは、送信波を送信する。
前記受信ステップは、前記送信波のうち対象物によって反射された反射波を受信する。
前記制御ステップは、前記移動体の移動速度が所定以下であることが検出されると、前記送信波の放射方向を切り替える。
また、一実施形態に係る電子機器の制御方法において、前記制御ステップは、前記移動体の後方への移動が検出されると、前記送信波の放射方向を切り替える。
また、一実施形態に係る電子機器の制御方法において、前記制御ステップは、前記移動体の停止状態からの移動状態が検出されると、前記送信波の放射方向を切り替える。
また、一実施形態に係る電子機器の制御方法において、前記制御ステップは、前記移動体の移動状態からの停止状態が検出されると、前記送信波の放射方向を切り替える。
また、一実施形態に係る電子機器の制御方法において、前記制御ステップは、前記移動体の制動状態が検出されると、前記送信波の放射方向を切り替える。
また、一実施形態に係る電子機器の制御方法において、前記制御ステップは、前記移動体のクリープが検出されると、前記送信波の放射方向を切り替える。
また、一実施形態に係る電子機器の制御方法において、前記制御ステップは、前記移動体の所定の方位角以上の方向転換が検出されると、前記送信波の放射方向を切り替える。